(57)【要約】      （修正有）【課題】店内の美化を図ることができ、ひいては通りがかりの人にも好印象を与え、顧客吸引効果を発揮でき、遊技者の取得したパチンコ球収納箱またはメダル収納箱も遊技者背面に整然と載置されることから、遊技者、従業員の歩行の支障とならず、また、けつまずいて玉やメダルが散乱したりする不慮の事態を生ずることなく、常時好環境で整然とした遊技場にて気持ちの良い遊技をすることができる遊技場を提供する遊技場用床貼りシートを提供する。【解決手段】遊技台の遊技者用椅子背面の近傍の床面に貼着されるシートは、裏面部２に床面への接着部を有するとともに、上面部３には遊技場床面装飾用の模様４が表されてなり、この模様４が形成されてなる上面部を遊技者が取得したパチンコ球収納箱またはメダル収納箱を載置するための載置部とする。【選択図】図１
0003159718.tif 000002
【実用新案登録請求の範囲】
【請求項１】
遊技台の遊技者用椅子背面の近傍の床面に貼着されるシートは、裏面部に床面への接着部を有するとともに、上面部には遊技場床面装飾用の模様が表されてなり、この模様が表されてなる上面部を遊技者が取得したパチンコ球収納箱またはメダル収納箱を載置するための載置部としたことを特徴とする遊技場用床貼りシート。
【請求項２】
上面部には、パチンコ球収納箱またはメダル収納箱の載置部であることを示す模様を表わしてなることを特徴とする請求項１記載の遊技場用床貼りシート。
【請求項３】
パチンコ球収納箱またはメダル収納箱の載置部であることを示す模様は、パチンコ球収納箱またはメダル収納箱を図案化した模様としたことを特徴とする請求項１または請求項２に記載の遊技場用床貼りシート。
【請求項４】
シートは複数台の遊技者用椅子背面の歩行路を除く床面の形状に合わせて貼着されることを特徴とする請求項１乃至請求項３のいずれかに記載の遊技場用床貼りシート。
【請求項５】
裏面部にはあらかじめ接着剤を塗布してなることを特徴とする請求項１乃至請求項４のいずれかに記載の遊技場用床貼りシート。
【請求項６】
シートは紙または合成樹脂からなるシート体から形成されてなり、前記シート上面部への印刷により前記シート上面部に模様を表してなることを特徴とする請求項１乃至請求項５のいずれかに記載の遊技場用床貼りシート。
【請求項７】
紙または合成樹脂からなるシート体の上面には、ポリプロピレン、ポリエステル、ポリ塩化ビニル、ポリカーボネート等の透明合成樹脂材よりなる保護シートを被覆したことを特徴とする請求項１乃至請求項６のいずれかに記載の遊技場用床貼りシート。
【請求項８】
保護シートには、スパンコール加工、マット加工、エンボス加工、またはすべり止め加工を施したことを特徴とする請求項１乃至請求項７のいずれかに記載の遊技場用床貼りシート。
【請求項９】
シートはカーペット体またはマット体から形成されてなり、前記カーペット体またはマット体への繊維の織り込み、前記カーペット体またはマット体への繊維の植毛、または、前記カーペット体またはマット体上面部への染色または印刷により前記シート上面部に模様を表してなることを特徴とする請求項１乃至請求項５のいずれかに記載の遊技場用床貼りシート。
【考案の詳細な説明】
【技術分野】
【０００１】
本考案はパチンコ遊技店等の遊技場の床面に貼着される装飾効果を発揮するシートに係り、店内の環境美化を図るとともに、通りがかりの人等にも好印象を与え、ひいては顧客吸引効果を発揮することができることは勿論のこと、遊技者の取得したパチンコ球収納箱が歩行に邪魔になる状態にて載置されることもなく、入場者、遊技者、従業員が何等支障なく遊技台列間を歩行することができ、またパチンコ球収納箱またはメダル収納箱にけつまずいて玉やメダルが散乱してしまう等不慮の事態も生ずることなく、整然とした店内環境の維持効果をも発揮することのできる遊技場用床貼りシートに関する。
【背景技術】
【０００２】
従来、パチンコ店等の遊技場においては台間における床面に顧客吸引のための格別の装飾、意匠を施すことはなく、ありきたりで単純な模様、色彩の床面から成ることが通常であり、専ら入場者、遊技者、従業員の歩行通路として使用されていた。したがって、遊技者（図示せず）がパチンコ遊技機において、パチンコ球を取得したときには、図７に示すように遊技者（図示せず）や遊技場の従業員は、取得したパチンコ球を収納するパチンコ球収納箱４０を、遊技台５０に対向する遊技者用椅子２０の背面の通路３０や椅子の脇に無造作に置いたり、積み重ねておくことが常であった。また、同様に、一般にパチスロと呼ばれる回胴式遊技機においても遊技者がメダルを取得したときには、遊技者や遊技場の従業員は、取得したメダルを収納するメダル収納箱を遊技台の上面、場合によっては遊技台に対向する遊技者用椅子の背面の通路や椅子の脇に無造作に置いたり、積み重ねておくことがあった。また、遊技場の床面に意匠を施すことは、案出されているものの床に遊技機を埋め込む等大がかりなものであり、またパチンコ球収納箱を整然と並べるための工夫はない（特許文献１）。
【特許文献１】特開２００３−１９９９６３号公報
【考案の開示】
【考案が解決しようとする課題】
【０００３】
上述したように広面積を占め、しかも歩行路としても重要な遊技台間の床面を顧客吸引のため、あるいは安全な歩行路確保のために何等工夫することなくそのまま放置されていたのが現状である。また、通路中にパチンコ球収納箱またはメダル収納箱等の収納箱が無造作に置かれたりして、歩行者、従業員の歩行に支障をきたし、また、この収納箱につまずいて球やメダルが散乱する不慮の事態が生ずることは勿論のこと、環境美化のための何等の装飾も施されていないことから、殺風景で殺伐とした遊技場風景とならざるを得なかった。
【０００４】
本考案にあっては、このような諸欠点を解消すべく遊技場の床面に貼着されるシートに工夫をこらし、店内の美化を図ることができ、ひいては通りがかりの人にも好印象を与え、顧客吸引効果を発揮できることは勿論のこと、遊技者の取得したパチンコ球やメダルを収納する収納箱も遊技者背面に整然と載置されることから、遊技者、従業員の歩行の支障とならず、また、けつまずいて球やメダルが散乱したりする不慮の事態を生ずることなく、常時好環境で整然とした遊技場にて気持ちの良い遊技をすることができる遊技場を提供できる遊技場用床貼りシートを提供することを目的とする。
【課題を解決するための手段】
【０００５】
上記課題を解決するために、本考案の遊技場用床貼りシートは、遊技台の遊技者用椅子背面の近傍の床面に貼着されるシートは、裏面部に床面への接着部を有するとともに、上面部には遊技場床面装飾用の模様が表されてなり、この模様が表されてなる上面部を遊技者が取得したパチンコ球収納箱またはメダル収納箱を載置するための載置部としたことを特徴とする。
【０００６】
上面部には、パチンコ球収納箱またはメダル収納箱の載置部であることを示す模様を表わしてなることを特徴とする。
【０００７】
パチンコ球収納箱またはメダル収納箱の載置部であることを示す模様は、パチンコ球収納箱またはメダル収納箱を図案化した模様としたことを特徴とする。
【０００８】
シートは複数台の遊技者用椅子背面の歩行路を除く床面の形状に合わせて貼着されることを特徴とする。
【０００９】
裏面部にはあらかじめ接着剤を塗布してなることを特徴とする。
【００１０】
シートは紙または合成樹脂からなるシート体から形成されてなり、前記シート上面部への印刷により前記シート上面部に模様を表してなることを特徴とする。
【００１１】
紙または合成樹脂からなるシート体の上面には、ポリプロピレン、ポリエステル、ポリ塩化ビニル、ポリカーボネート等の透明合成樹脂材よりなる保護シートを被覆したことを特徴とする。
【００１２】
保護シートには、スパンコール加工、マット加工、エンボス加工、またはすべり止め加工を施したことを特徴とする。
【００１３】
シートはカーペット体またはマット体から形成されてなり、前記カーペット体またはマット体への繊維の織り込み、前記カーペット体またはマット体への繊維の植毛、または、前記カーペット体またはマット体上面部への染色または印刷により前記シート上面部に模様を表してなることを特徴とする。
【考案の効果】
【００１４】
本考案の遊技場用床貼りシートは、遊技台の遊技者用椅子背面の遊技者及び従業員の歩行区域における遊技者用椅子背面部の床面に貼着されるシートは、裏面部に床面への接着部を有するとともに、上面部には遊技場床面装飾用の模様が表されてなり、この模様が表されてなる上面部を遊技者が取得したパチンコ球収納箱またはメダル収納箱を載置するための載置部としたことから、店内の美化を図ることができ、ひいては通りがかりの人、あるいは当該遊技場に入るか否か迷っている人に好印象を与え、顧客吸引効果を発揮できることは勿論のことから、遊技者の取得したパチンコ球収納箱またはメダル収納箱を載置する場所が遊技者背面に特定されていることから、歩行路は確実に確保され、遊技者、従業員の歩行の支障とならず、つまずいてパチンコ球やメダルが散乱する等の不慮の事態も生じず、常時好環境で整然とした気持ちの良い遊技場を提供することが可能となる。
【００１５】
また、表面部には、パチンコ球収納箱またはメダル収納箱の載置部であることを示す模様を表わしてなることから、遊技者は確実にパチンコ球収納箱またはメダル収納箱載置部に載置し、あるいは積み重ねることができ、歩行路が確保され整然とした場内環境を維持することができる。
【００１６】
また、パチンコ球収納箱の載置部であることを示す模様は、パチンコ球収納箱またはメダル収納箱を図案化した模様としたことから、遊技場床面の装飾と、パチンコ球収納箱またはメダル収納箱の載置部であることを示すための表示の両方を兼ねることができ、遊技者に対する視覚効果に優れた床面を提供することができる。
【００１７】
また、シートは複数台の遊技者用椅子背面の歩行路を除く床面の形状に合わせて貼着されることより、通路が直線状の場合には、シートは複数台の遊技者用椅子背面の床面に直線状に貼着され、台間あるいは複数台の遊技台の椅子背面の歩行路はストレートに全て確実に確保されることから、より整然とした場内環境を維持することができる。さらに、通路が曲線状の場合には、シートは複数台の遊技者用椅子背面の床面に曲線状に貼着されることから、台間あるいは複数台の遊技台の椅子背面の歩行路は曲線状に全て確実に確保されることから、より整然とした場内環境を維持することができる。
【００１８】
また、裏面部にはあらかじめ接着剤を塗布してなることから、より簡単かつスピーディーに所望の床面に確実に接着することができ、効率的な貼着作業をすることができる。
【００１９】
シートは紙または合成樹脂からなるシート体から形成されてなり、前記シート上面部への印刷により前記シート上面部に模様を表してなることにより模様を表したシートを薄く形成することができ、遊技者や従業員の歩行を妨げることがない。
【００２０】
紙または合成樹脂からなるシート体の表面には、ポリプロピレン、ポリエステル、ポリ塩化ビニル、ポリカーボネート等の透明合成樹脂材よりなる保護シートを被覆したことにより、シートは保護され傷つきにくく耐久性を有するとともに、表面部の模様は透視されることから、充分な装飾効果、顧客吸引効果を維持することができる。
【００２１】
保護シートには、スパンコール加工、マット加工、エンボス加工、またはすべり止め加工を施したことにより、遊技者、従業員等がシート上面を歩行する際もすべることなく、安全に歩行することができる。
【００２２】
シートはカーペット体またはマット体から形成され、前記カーペット体またはマット体への柄の織り込み、または、前記カーペット体またはマット体上面部への染色または印刷により前記シート上面部に模様を表してなることにより、模様を視認することができ、充分な装飾効果、顧客吸引効果を維持することができるとともに、遊技者、従業員等がシート上面を歩行する際もすべることなく、安全に歩行することができる。また、シートはカーペット体またはマット体から形成してなることにより高級感のあるシートを提供することができる。
【図面の簡単な説明】
【００２３】
【図１】本考案の第一の実施の形態の遊技場用床貼りシート１の斜視図。
【図２】遊技場用床貼りシート１に透明合成樹脂材よりなるシート５を被覆した状態の斜視図。
【図３】遊技場用床貼りシート１にすべり止め加工されたシート６を被覆した状態の斜視図。
【図４】本考案の遊技場用床貼りシート１の使用状態を示す図。
【図５】本考案の遊技場用床貼りシート１の使用状態を示す図。
【図６】本考案の第二の実施の形態の遊技場用床貼りシート１１の斜視図。
【図７】従来の遊技場のパチンコ球収納箱の載置状態を示す図。
【考案を実施するための形態】
【００２４】
本考案の第一の実施の形態を、図を用いて説明する。図１は本考案の遊技場用床貼りシート１の斜視図、図２は、遊技場用床貼りシート１に透明合成樹脂材よりなるシート５を被覆した状態の斜視図、図３は、遊技場用床貼りシート１にすべり止め加工されたシート６を被覆した状態の斜視図、図５、図４は使用状態を示す図である。
【００２５】
この遊技場用床貼りシート１は、比較的長尺な、紙または塩化ビニルやポリプロピレン等の合成樹脂材からなるシート体である。その上面部を構成する表面部３には、遊技場床面装飾用の表示体としての、模様４が印刷により表されている。尚、シート体の厚みは遊技者や従業員の歩行を妨げないように0.5mm〜0.8mm程度の薄さがのぞましいが、シート厚さは、これに限られるものではない。また、模様４を表す手法は、印刷に限られるものではなく、手描き、ステンシル等他の手法によるものであってもよい。
【００２６】
遊技場用床貼りシート１に表される模様４は、遊技場床面装飾用の効果と、パチンコ球収納箱またはメダル収納箱等の収納箱の載置部を示す効果の両方が得られるように、パチンコ球収納箱またはメダル収納箱等載置される収納箱の連続模様あるいはパチンコ球収納箱またはメダル収納箱等載置される収納箱を重ねた状態を模した模様となっている。
【００２７】
そして、遊技者は、遊技場用床貼りシート１を視認することで、パチンコ球収納箱またはメダル収納箱の載置部を認識するとともに、パチンコ球収納箱またはメダル収納箱が載置されていないときには、パチンコ球収納箱やメダル収納箱が複数重なっているような装飾的効果を得ることができるようになっている。この収納箱の模様４は、模様４が繰り返すように表されており、通路の長さや店舗の面積に応じて所望の長さに裁断して使用できるようになっている。
【００２８】
また、裏面部２には、あらかじめ接着剤が塗布されていて、遊技場用床貼りシート１を所望の床面に容易に貼ることができるようになっている。尚、接着剤に代えて、両面粘着テープを貼着する、遊技場用床貼りシート１を使用するときに裏面部２に接着剤を塗布してもよい。
【００２９】
また、図２に示すように、遊技場用床貼りシート１において、この模様４を形成してなる表面部３上に、ポリプロピレン、ポリエステル、ポリ塩化ビニル、ポリカーボネート等の透明合成樹脂材よりなる保護シート５を被覆して、模様４の装飾効果、顧客吸引効果を発揮しつつ表面を保護し、耐久性の向上化を図ってもよい。尚、保護シート５は必ずしも被覆せずともよく、また、保護シート５の貼着の手法はラミネート、接着、圧着、熱着等いずれの手法であってもよい。
【００３０】
また、図３に示すように、保護シート５にかえて、すべり止め加工を施した保護シート６を被覆してもよい。保護シート６は、ポリプロピレン、ポリエステル、ポリ塩化ビニル、ポリカーボネート等の透明合成樹脂材よりなる保護シート中にスパンコールを混入するスパンコール加工、サンドブラスト等の粗面を施すマット加工、型押し等のエンボス加工、または、すべり止め剤の塗布等いずれかの手法によりすべり止め加工を施してなる。保護シート６を被覆して遊技場用床貼りシート１を保護被覆することにより、パチンコ球収納箱またはメダル収納箱や、遊技者や従業員が床面で滑ることを防止することも可能である。尚、保護シート６は必ずしも被覆せずともよく、また、シート６の貼着の手法はラミネート、接着、圧着、熱着等いずれの手法であってもよい。
【００３１】
図４は本考案の遊技場用床貼りシート１の使用状態を示すものである。遊技場用床貼りシート１は、遊技台１０に対向する複数台の遊技者用椅子７の背面に直線状に貼着されており、遊技場用床貼りシート１間を遊技者、従業員等の歩行路８としている。
【００３２】
そして遊技場用床貼りシート１の表面部３には、取得したパチンコ球やメダルを収納するための収納箱９の載置部と認識するように模様４が表示されてなることにより、図５に示す如くパ収納箱９は歩行路にはみ出したりすることなく、遊技場用床貼りシート１上に整然と載置されるものである。また、模様４は、収納箱９を模した模様としたことから、収納箱９が載置されていない状態でも装飾的な効果が生じ店内全体に明るい印象が生じる。また、店舗の入り口越しに店内を覗く人にもこの遊技場用床貼りシート１は、収納箱が載置されて賑わっているような装飾的効果を与えることができ、顧客吸引力を発揮する。
【００３３】
尚、図４、図５においては、遊技場用床貼りシート１を、遊技者用椅子７の背面に一方向から直線状に貼着したが、貼着の方向や位置はこれに限られるものではなく、複数の入出口がある店舗においては、入出口から店内に向かって遊技場用床貼りシート１を貼着するようにすればよい。たとえば、店舗の両側に入出口がある場合には、店内の遊技台列の中央付近で遊技場用床貼りシート１が付き合わされるように貼着すれば、どちらの入出口から入店した人にとっても収納箱が重ねて載置されている状態の模様４を視認することができる。
【００３４】
また、通路が曲線状の場合、シートは複数台の遊技者用椅子背面の床面に曲線状に貼着される。通路の両端から通路を見通すことはできない可能性があるため、遊技場床面の装飾による顧客吸引の効果は通路入出口付近に限定される。一方、パチンコ球収納箱またはメダル収納箱の載置部を示す効果は、曲線状の通路の中央付近でも減じられるものではない。
【００３５】
また、本考案の第二の実施の形態を、図を用いて説明する。図６は本考案の遊技場用床貼りシート１１の斜視図である。
【００３６】
この遊技場用床貼りシート１１は、比較的長尺な、カーペット体またはマット体からなる起毛状のシート体であって、その上面部１３には、遊技場床面装飾用の表示体としての、模様１４が表されている。この模様１４は、起毛状シート体の形成時に柄を織り込むことにより形成する。例えば、模様１４を赤、青、黄色等の有彩色の繊維で織り上げ、他の部分を白色や黒色の無彩色の繊維で織り上げて模様１４を形成することにより形成する。
【００３７】
遊技場用床貼りシート１１に表される模様１４は、遊技場床面装飾用の効果と、パチンコ球収納箱またはメダル収納箱等の収納箱の載置部を示す効果の両方が得られるように、パチンコ球収納箱またはメダル収納箱等載置される収納箱の連続模様あるいはパチンコ球収納箱またはメダル収納箱等載置される収納箱を重ねた状態を模した模様となっている。そして、遊技者は、遊技場用床貼りシート１１を視認することで、パチンコ球収納箱またはメダル収納箱の載置部を認識するとともに、パチンコ球収納箱またはメダル収納箱が載置されていないときには、パチンコ球収納箱やメダル収納箱が複数重なっているような装飾的効果を得ることができるようになっている。この収納箱の模様１４は、模様１４が繰り返すように表されており、通路の長さや店舗の面積に応じて所望の長さに裁断して使用できるようになっている。
【００３８】
また、模様を、起毛状シート体の形成時に柄を織り込むことにかえて、起毛状シート体の形成時に柄を植毛することにより模様を表すことも可能である。さらには、あらかじめ織り上げた、または植毛した起毛状シート体の表面に模様を印刷、染色または手描きすることにより模様を表すことも可能であり、カーペット体およびマット体の上面部に模様を表す手法は起毛状シート体の形成時に柄を織り込むことに限られるものではない。
【符号の説明】
【００３９】
１  遊技場用床貼りシート
２  裏面部
３  表面部
４  模様４
５  保護シート
６  保護シート
７  遊技者用椅子
８  歩行路
９  収納箱
１０遊技台
１１遊技場用床貼りシート
１２裏面部
１３上面部
１４模様
２０遊技者用椅子
３０通路
４０パチンコ球収納箱
５０パチンコ遊技台
【図１】
0003159718.tif 000003
【図２】
0003159718.tif 000004
【図３】
0003159718.tif 000005
【図４】
0003159718.tif 000006
【図５】
0003159718.tif 000007
【図６】
0003159718.tif 000008
【図７】
0003159718.tif 000009
【手続補正書】
【提出日】平成22年3月31日(2010.3.31)
【手続補正１】
【補正対象書類名】実用新案登録請求の範囲
【補正対象項目名】全文
【補正方法】変更
【補正の内容】
【実用新案登録請求の範囲】
【請求項１】
遊技台の遊技者用椅子背面の近傍の床面に貼着されるシートは、裏面部に床面への接着部を有するとともに、上面部には遊技場床面装飾用の模様が表されてなり、この模様が表されてなる上面部を遊技者が取得したパチンコ球収納箱またはメダル収納箱を載置するための載置部としたことを特徴とする遊技場用床貼りシート。
【請求項２】
上面部には、パチンコ球収納箱またはメダル収納箱の載置部であることを示す模様を表わしてなることを特徴とする請求項１記載の遊技場用床貼りシート。
【請求項３】
パチンコ球収納箱またはメダル収納箱の載置部であることを示す模様は、パチンコ球収納箱またはメダル収納箱を図案化した模様としたことを特徴とする請求項１または請求項２に記載の遊技場用床貼りシート。
【請求項４】
シートは複数台の遊技者用椅子背面の歩行路を除く床面の形状に合わせて貼着されることを特徴とする請求項１乃至請求項３のいずれかに記載の遊技場用床貼りシート。
【請求項５】
裏面部にはあらかじめ接着剤を塗布してなることを特徴とする請求項１乃至請求項４のいずれかに記載の遊技場用床貼りシート。
【請求項６】
シートは紙または合成樹脂からなるシート体から形成されてなり、前記シート上面部への印刷により前記シート上面部に模様を表してなることを特徴とする請求項１乃至請求項５のいずれかに記載の遊技場用床貼りシート。
【請求項７】
紙または合成樹脂からなるシート体の上面には、ポリプロピレン、ポリエステル、ポリ塩化ビニル、ポリカーボネート等の透明合成樹脂材よりなる保護シートを被覆したことを特徴とする請求項１乃至請求項６のいずれかに記載の遊技場用床貼りシート。
【請求項８】
保護シートには、保護シート中にスパンコールを混入するスパンコール加工、保護シート表面に粗面を形成するマット加工、保護シート表面に型押しを施すエンボス加工、または保護シート表面にすべり止め剤を塗布するすべり止め加工を施したことを特徴とする請求項７に記載の遊技場用床貼りシート。
【請求項９】
シートはカーペット体またはマット体から形成されてなり、前記カーペット体またはマット体への繊維の織り込み、前記カーペット体またはマット体への繊維の植毛、または、前記カーペット体またはマット体上面部への染色または印刷により前記シート上面部に模様を表してなることを特徴とする請求項１乃至請求項５のいずれかに記載の遊技場用床貼りシート。
【手続補正２】
【補正対象書類名】明細書
【補正対象項目名】００１２
【補正方法】変更
【補正の内容】
【００１２】
保護シートには、保護シート中にスパンコールを混入するスパンコール加工、保護シート表面に粗面を形成するマット加工、保護シート表面に型押しを施すエンボス加工、または保護シート表面にすべり止め剤を塗布するすべり止め加工を施したことを特徴とする。